(57)【要約】【課題】  伝送容量の大きい光通信方式を用いて中央制御装置からの制御信号を光制御装置に直接伝送するシステムを構築し、光制御装置に配電設備の制御機能と計測機能を集約することで、配電設備の迅速かつ確実な制御を図ることを目的としている。【解決手段】  本発明にかかる、中央制御装置１５０と、遠方監視制御装置１５４Ｂと、設備制御装置１６０と、光制御装置１７０と、を備える配電自動化システムは、配電用変電所１１０における制御信号の伝達経路に制御信号分岐装置２１０をさらに挿設し、制御信号分岐装置は、制御信号の変調波を復調する復調部２５４と、復調した制御信号の識別子により特定される光制御装置２２０に制御信号を光ケーブル１７２を介して送信する制御信号送信部２５６と、光制御装置２２０からの信号を変調する変調部２６０と、を備えることを特徴とする。【選択図】    図３
2009232539.tif 000002
【特許請求の範囲】
【請求項１】
制御信号を生成する中央制御装置と、配電用変電所に配置され、該制御信号を送出電力に重畳するため該制御信号に示された周波数で該制御信号を変調する遠方監視制御装置と、該遠方監視制御装置と配電線路を介して接続され送出電力に重畳された変調波から制御信号を復調して配電設備を制御する設備制御装置と、該配電設備の状態値を光ケーブルを介して送信する光制御装置と、を備える配電自動化システムであって、
前記配電用変電所における制御信号の伝達経路に制御信号分岐装置をさらに挿設し、
前記制御信号分岐装置は、
前記制御信号の変調波を復調する復調部と、
前記復調した制御信号の識別子により特定される光制御装置に前記制御信号を前記光ケーブルを介して送信する制御信号送信部と、
前記光制御装置からの信号を変調する変調部と、
を備えることを特徴とする配電自動化システム。
【請求項２】
前記制御信号分岐装置は、光通信による変調波を電気信号に変換するＯ／Ｅ変換器と、該電気信号を光通信による変調波に戻すＥ／Ｏ変換器と、をさらに備えていることを特徴とする請求項１に記載の配電自動化システム。
【請求項３】
制御信号を生成する中央制御装置と、配電用変電所に配置され、該制御信号を送出電力に重畳するため該制御信号に示された周波数で該制御信号を変調する遠方監視制御装置と、該遠方監視制御装置と配電線路を介して接続され送出電力に重畳された変調波から制御信号を復調して配電設備を制御する設備制御装置と、該配電設備の状態値を光ケーブルを介して送信する光制御装置と、を備える配電自動化システムにおける、該配電用変電所内の制御信号の伝達経路に挿設される制御信号分岐装置であって、
前記制御信号の変調波を復調する復調部と、
前記復調した制御信号の識別子により特定される光制御装置に前記制御信号を前記光ケーブルを介して送信する制御信号送信部と、
前記光制御装置からの信号を変調する変調部と、
を備えることを特徴とする制御信号分岐装置。
【発明の詳細な説明】
【技術分野】
【０００１】
本発明は、中央制御装置からの制御信号を、配電線路や光ケーブルを介して設備制御装置または光制御装置に伝送する配電自動化システムおよび制御信号分岐装置に関する。
【背景技術】
【０００２】
近年、配電系統上に配設される開閉器や自動電圧調整器（ＳＶＲ：Step Voltage Regulator、配電用自動電圧調整器、高圧自動電圧調整器とも呼ばれる。）等の配電設備を、中央制御装置で集中して遠隔操作する配電自動化システムの構築が進みつつある。ここでは、配電系統上の複数の配電設備毎に、中央制御装置からの制御信号を受信する子局（設備制御装置）が設けられ（例えば、特許文献１）、中央制御装置は、この設備制御装置を通じて個々の配電設備を制御する。
【０００３】
また、中央制御装置で生成された制御信号は、高圧配電線搬送方式により設備制御装置に伝達されている。高圧配電線搬送方式は、配電系統の特に高圧配電線による給電経路を利用し、制御信号をその送出電力に重畳して搬送する方式である（例えば特許文献２、３）。このような高圧配電線搬送方式には周波数偏移（ＦＳ）変調および振幅変調が利用されるが、ＯＦＤＭ（Orthogonal Frequency Division Multiplexing：直交周波数分割多重）を用いて複数の情報を重畳させて伝送することもできる（例えば、特許文献４）。
【０００４】
さらに、上述した配電自動化システムのみならず、各配電設備の電圧、電流、力率といった様々な状態値を集計する配電線系統情報管理システムも構築されている。このような状態値は、各配電設備から高頻度で送信されるため高圧配電線搬送方式では配電設備の管理に必要な十分な量の状態値を収集することが困難であった。従って、配電線系統情報管理システムでは、配電自動化システムの高圧配電線搬送方式と独立した、高速伝送可能な通信方式である光通信方式の導入が進んでいる。ここでは、光通信専用の子局として光制御装置が用いられている。
【特許文献１】特開昭５７−１１３７２８号公報
【特許文献２】特開昭５２−１０３６５１号公報
【特許文献３】特開昭５５−０４３９２３号公報
【特許文献４】特開２００３−１８８７７７号公報
【発明の開示】
【発明が解決しようとする課題】
【０００５】
上述した背景により、現時点では、配電自動化システムおよび配電線系統情報管理システムの２種類のシステムが存在し、それぞれ伝送経路および伝送方式を異ならせていた。従って、各配電設備にはそれぞれのシステムに属する設備制御装置と光制御装置の２つの制御手段が設置されており、コストの増大を招いていた。
【０００６】
また、配電線系統情報管理システムは、状態値の集計を想定して構築されているため、その計測信号の伝送方向は、配電設備から集計装置（配電自動化システムで言うところの中央制御装置）への単方向のみの運用となっている。従って、配電線系統情報管理システムの光制御装置を制御しようと考えた場合、配電自動化システムの設備制御装置から光制御装置への別途の信号線を這わせ、状態値こそ光通信方式により集計するが、制御は配電自動化システムの高圧配電線搬送方式を通じて実行せざるを得なかった。かかる構成では、２つの制御手段を用いることによるコストの増大のみならず、複雑なシステム系統による煩雑な処理を招き、配電自動化システムにおける接続切換や中継処理に多大な処理負担を費やしていた。
【０００７】
本発明は、このような課題に鑑み、伝送容量の大きい光通信方式を用いて中央制御装置からの制御信号を光制御装置に直接伝送するシステムを構築し、光制御装置に配電設備の制御機能と計測機能とを集約することで、配電設備の迅速かつ確実な制御が可能な配電自動化システムおよび制御信号分岐装置を提供することを目的としている。
【課題を解決するための手段】
【０００８】
上記課題を解決するために、本発明にかかる代表的な構成は、制御信号を生成する中央制御装置と、配電用変電所に配置され、制御信号を送出電力に重畳するため制御信号に示された周波数で制御信号を変調する遠方監視制御装置と、遠方監視制御装置と配電線路を介して接続され送出電力に重畳された変調波から制御信号を復調して配電設備を制御する設備制御装置と、配電設備の状態値を光ケーブルを介して送信する光制御装置と、を備える配電自動化システムであって、配電用変電所における制御信号の伝達経路に制御信号分岐装置をさらに挿設し、制御信号分岐装置は、制御信号の変調波を復調する復調部と、復調した制御信号の識別子により特定される光制御装置に制御信号を光ケーブルを介して送信する制御信号送信部と、光制御装置からの信号を変調する変調部と、を備えることを特徴とする。
【０００９】
かかる制御信号分岐装置により、中央制御装置からの制御信号を伝送容量の大きい光ケーブル経由で光制御装置に伝達することができ、配電設備をそれぞれ１つの制御手段と１つの伝送方式で包括的に制御することでコストの軽減を図ると共に、配電設備の迅速かつ確実な制御および計測が可能となる。また、制御信号分岐装置は、制御信号中の識別子を抽出して、既存の高圧配電線搬送方式による設備制御装置と、光通信方式による光制御装置とのいずれか適切な送付先を選択することが可能なので、設備制御装置と光制御装置とが混在する移行期においてもそれぞれの制御手段に確実に制御指令を伝達することができる。
【００１０】
制御信号分岐装置は、光通信による変調波を電気信号に変換するＯ／Ｅ変換器と、電気信号を光通信による変調波に戻すＥ／Ｏ変換器と、をさらに備えていてもよい。
【００１１】
既存の配電自動化システムのデータ伝送には高圧配電線搬送方式が用いられているが、制御信号を電力に重畳する前段において制御信号の変調波を光通信により伝送している領域もある。かかる光通信では、制御信号の分岐や結合が困難であるため、上述したＯ／Ｅ変換器およびＥ／Ｏ変換器を用いて制御信号を光信号から一旦電気信号に変換することで、その制御信号の分岐や結合を容易に遂行することが可能となる。
【００１２】
本発明にかかる他の代表的な構成は、制御信号を生成する中央制御装置と、配電用変電所に配置され、制御信号を送出電力に重畳するため制御信号に示された周波数で制御信号を変調する遠方監視制御装置と、遠方監視制御装置と配電線路を介して接続され送出電力に重畳された変調波から制御信号を復調して配電設備を制御する設備制御装置と、配電設備の状態値を光ケーブルを介して送信する光制御装置と、を備える配電自動化システムにおける、配電用変電所内の制御信号の伝達経路に挿設される制御信号分岐装置であって、制御信号の変調波を復調する復調部と、復調した制御信号の識別子により特定される光制御装置に制御信号を光ケーブルを介して送信する制御信号送信部と、光制御装置からの信号を変調する変調部と、を備えることを特徴とする。
【００１３】
上述した、配電自動化システムの技術的思想に基づく構成要素やその説明は、当該制御信号分岐装置にも適用可能である。
【発明の効果】
【００１４】
以上説明したように本発明によれば、伝送容量の大きい光通信方式を用いて中央制御装置からの制御信号を光制御装置に直接伝送するシステムを構築し、光制御装置に配電設備の制御機能と計測機能とを集約することで、配電設備の迅速かつ確実な制御が可能となる。
【発明を実施するための最良の形態】
【００１５】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１６】
現在の配電系統においては、開閉器や自動電圧調整器等配電設備の制御を目的とした配電自動化システムと、各配電設備の電圧、電流、力率といった様々な状態値を集計する配電線系統情報管理システムとが混在している。
【００１７】
（配電系統１００）
図１は、現在の配電系統１００の概略的な構成を示す説明図である。配電系統１００では、電力供給を遂行する電力供給システムを主として、配電自動化システムおよび配電線系統情報管理システムが並設されている。具体的に、配電自動化システムでは、配電系統の給電経路（高圧配電線）を利用して、その送出電力に制御信号を重畳する高圧配電線搬送方式が用いられ、配電線系統情報管理システムでは、光ケーブルにより高速伝送可能な光通信方式が用いられる。
【００１８】
電力供給システムは、配電用変電所１１０と、高圧配電線１２０と、開閉器１３０とを含んで構成される。配電用変電所１１０は、母線１１２から受電した電力を配電用変圧器１１４で６．６ｋＶ三相交流５０／６０Ｈｚに変圧し、変電所遮断器１１６を通じて各配電系統の高圧配電線１２０に配電している。図中実線で示される高圧配電線１２０は、配電用変圧器１１４から分岐し、放射状に広がる並行線路（フィーダ）（Ａ）、（Ｂ）から構成される。開閉器１３０は、配電系統上の高圧配電線１２０を中継し、各高圧配電線１２０の接続を開閉する。ここでは理解を容易にするため開閉器１３０のみを配設しているが、かかる場合に限られず、自動電圧調整器や遮断器等様々な配電設備を配設することができる。同様に、以下の実施形態では特に開閉器１３０を制御対象として挙げているが、他の配電設備を制御対象とすることができるのは言うまでもない。
【００１９】
配電自動化システムは、中央制御装置１５０と、中継装置１５２と、遠方監視制御装置１５４Ａ、１５４Ｂと、搬送結合装置１５６と、設備制御装置１６０とを含んで構成される。中央制御装置１５０は、開閉器１３０を制御するための制御信号を生成する。中継装置１５２は、中継所に配置され、中央制御装置１５０と遠方監視制御装置１５４Ａとの制御信号を中継する。遠方監視制御装置１５４Ａは、中継所に配置され、複数の遠方監視制御装置１５４Ｂに対して中央制御装置１５０からの制御信号を伝達する。遠方監視制御装置１５４Ｂは、配電用変電所１１０内または周囲に設けられ、中央制御装置１５０からの制御信号を、制御信号自体に示された周波数で変調する。搬送結合装置１５６は、このように変調された変調波を、配電用変圧器１１４から送出された電力に重畳する。設備制御装置１６０は、搬送結合装置１５６に高圧配電線１２０を介して接続され、送出電力に重畳された変調波から制御信号を復調して開閉器１３０を制御する。
【００２０】
また、中央制御装置１５０で生成された制御信号は、遠方監視制御装置１５４Ｂにおいて周波数偏移（ＦＳ）変調および振幅変調が行われた後、光信号に一旦変換され、さらに搬送結合装置１５６において電気信号に再変換され送出電力に重畳される。従って、遠方監視制御装置１５４Ｂから出力される光信号には既に搬送波が混合されている。
【００２１】
また、制御信号の搬送波の周波数は複数準備されている。これは、当該高圧配電線１２０が複数の管理領域に跨っている場合に、配電設備をその管理領域毎に制御するためである。具体的には、管理領域毎に予め周波数が設定されており、設定された特定の周波数による一度の制御信号でその管理領域に立設する全ての配電設備を同時に制御することができる。設備制御装置１６０は、自体に設定された周波数による制御信号は解読するが、設定された周波数でなければその制御信号を無視することとなる。また、管理領域内のさらに配電設備個々の制御は、周波数に加えて後述する識別子を用いて行われる。従って管理領域さえ異なれば同一の識別子を付すことも可能である。
【００２２】
ここで、電力供給システムにおけるいずれかの開閉器１３０間で事故が生じた場合、配電用変電所１１０内の保護リレーが作動して変電所遮断器１１６がトリップし、並行線路の配電が停止される。配電自動化システムの中央制御装置１５０は、かかる配電停止を受け、事故の対象となる並行線路または配電区間に連設された開閉器１３０の開閉を指令する制御信号を、高圧配電線１２０を通じて設備制御装置１６０に送信し、設備制御装置１６０は、当該開閉器１３０を開放または閉路する。
【００２３】
配電線系統情報管理システムは、光制御装置１７０と、光ケーブル１７２と、集計装置１８０とを含んで構成される。光制御装置１７０は、開閉器１３０の状態値（電圧、電流、力率等）を計測し、図中一点鎖線で示される光ケーブル１７２を介して集計装置１８０に送信する。集計装置１８０は、光制御装置１７０からの計測信号を集計し、電力供給システムの円滑な運営を支援すると共に事故点探査、事故予測等も支援する。
【００２４】
図２は、開閉器１３０、設備制御装置１６０、および光制御装置１７０の接続関係を説明するための説明図である。開閉器１３０は、電力柱１９０上方に設置され、その下方に設備制御装置１６０および光制御装置１７０が装備される。設備制御装置１６０は、高圧配電線１２０を伝わる電力から変調波を抽出し、その変調波を復調した制御信号を解読して開閉器１３０を操作する。また、光制御装置１７０は、高圧配電線１２０と伝送経路の相違する光ケーブル１７２を介して開閉器１３０の状態値を伝送する。
【００２５】
配電線系統情報管理システムは、状態値の集計を想定して構築されているため、その計測信号の伝送方向は、光制御装置１７０から集計装置１８０への単方向のみである。従って、光制御装置１７０自体の制御は、配電自動化システムを経由する必要がある。ここで、光制御装置１７０への制御信号は、高圧配電線１２０を介した高圧配電線搬送方式により一旦設備制御装置１６０に配信され、アダプタ１９２を通じて光制御装置１７０に伝達される。かかる構成では、２つの制御手段を用いることによるコストの増大のみならず、複雑なシステム系統による煩雑な処理を招き、配電自動化システムにおける接続切換や中継処理に多大な処理負担を費やすこととなる。
【００２６】
ここでは、光制御装置１７０は計測信号の送信のみを行っているが、そもそも双方向の光通信能力を備えており、光制御装置１７０を開閉器１３０の制御手段とすることが可能である。そこで、光制御装置１７０に配電設備の制御機能と計測機能を集約し、伝送容量の大きい光通信方式を用いて中央制御装置１５０からの制御信号を光制御装置１７０に直接伝送するシステムを構築する。
【００２７】
（配電系統２００）
図３は、本実施形態の配電系統２００の概略的な構成を示す説明図である。当該配電系統２００においても、上述した配電系統１００同様、電力供給を遂行する電力供給システムを主として、配電自動化システムおよび配電線系統情報管理システムが並設されている。本実施形態では、配電用変電所１１０において、制御信号の伝達経路に制御信号分岐装置２１０が新たに挿設されている。ここで、制御信号分岐装置２１０を配電用変電所１１０に挿設しているのは、配電自動化システムと配電線系統情報管理システムとが、いずれも配電用変電所１１０を経由しているので設置コストを軽減でき、かつ十分な設置空間を維持できるからである。
【００２８】
制御信号分岐装置２１０は、遠方監視制御装置１５４Ｂと搬送結合装置１５６とを中継すると共に、スイッチングハブを介して光ケーブル１７２にも接続されている。中央制御装置１５０では、光制御装置２２０に対する制御信号を設備制御装置１６０への制御信号に含め、制御信号分岐装置２１０は、この中央制御装置１５０からの制御信号から光制御装置２２０への制御信号を分離し、光ケーブル１７２を介して光制御装２２０に直接伝送する。そして、光制御装置２２０は、設備制御装置１６０の代わりに開閉器１３０を制御する。例えば、図３の並行線路（Ａ）では、開閉器１３０に光制御装置２２０のみが付設され、開閉器１３０の制御および計測は全て光制御装置２２０のみによって遂行される。
【００２９】
かかる制御信号分岐装置２１０により、中央制御装置１５０からの制御信号を伝送容量の大きい光ケーブル経由で光制御装置２２０に伝達することができ、配電設備をそれぞれ１つの制御手段と１つの伝送方式で包括的に制御することでコストの軽減を図ると共に、配電設備の迅速かつ確実な制御および計測が可能となる。
【００３０】
また、従来設備制御装置１６０で実行していた配電設備の制御を一度に光制御装置２２０に変更すると膨大なコストとシステムの大幅な変更を伴うこととなるが、本実施形態のように、設備制御装置１６０による既存の配電自動化システムを有効に機能させたまま、光制御装置２２０を利用する新たな配電自動化システムを順次構築することで、統合された配電自動化システムに無理なくスムーズに移行することができる。
【００３１】
ここで、制御信号分岐装置２１０を遠方監視制御装置１５４Ｂと搬送結合装置１５６との間に挿設しているのは、以下の理由による。即ち、遠方監視制御装置１５４Ｂに到達する制御信号には、開閉器１３０等の配電設備以外にも配電用変電所１１０自体に対する制御信号（遮断信号、負荷制御信号、計測情報、事故情報）も入力されるため、それらから配電設備への制御信号のみを抽出した後の方（遠方監視制御装置１５４Ｂの下流の方）が不要な制御信号を判断する必要が無いからである。また、遠方監視制御装置１５４Ｂは既に配電設備への制御信号およびその返答の管理が為されているので、遠方監視制御装置１５４Ａより下流に制御信号分岐装置２１０を接続することでその既存のシステムを有効利用できる。しかし、制御信号分岐装置２１０の設置位置は、かかる場合に限られず、光ケーブルとの接続が可能なあらゆる位置に配置することも可能である。
【００３２】
図４は、本実施形態における開閉器１３０および光制御装置２２０の接続関係を説明するための説明図である。開閉器１３０は、電力柱１９０上方に設置され、その下方には光制御装置２２０が装備される。光制御装置２２０は、上述した光制御装置１７０同様、光ケーブル１７２を介して開閉器１３０の状態値を伝送すると共に、光ケーブル１７２を介して受信した制御信号を解読し、設備制御装置１６０同様、開閉器１３０を操作する。
【００３３】
図４と図２とを比較して理解できるように、現行の配電系統では、設備制御装置１６０および光制御装置１７０の２つの制御手段やアダプタ１９２が設けられ、さらに制御配線が煩雑であったが、本実施形態においては装柱品が単純化されているので、メンテナンス性や信頼性を高めることができる。
【００３４】
図５は、制御信号分岐装置２１０の具体的な構成を示した機能ブロック図である。制御信号分岐装置２１０は、Ｏ／Ｅ変換器２５０と、Ｅ／Ｏ変換器２５２と、復調部２５４と、制御信号送信部２５６と、メディアコンバータ２５８と、変調部２６０とを含んで構成される。
【００３５】
Ｏ／Ｅ（Optic/Electro）変換器２５０は、遠方監視制御装置１５４Ｂからの光通信による変調波（光信号）を電気信号に変換する。遠方監視制御装置１５４Ｂと搬送結合装置１５６とは光通信が行われているが、光信号は、制御信号の分岐や結合が困難であるため、Ｏ／Ｅ変換器２５０を用いて制御信号を光信号から一旦電気信号に変換する。こうして、その制御信号の分岐や結合を容易に遂行することが可能となる。
【００３６】
Ｅ／Ｏ（Electro/Optic）変換器２５２は、既存の遠方監視制御装置１５４Ｂと搬送結合装置１５６との光通信を維持するため、Ｏ／Ｅ変換器２５０の電気信号をさらに光通信による変調波に戻す。
【００３７】
復調部２５４は、Ｏ／Ｅ変換器２５０で変換された電気信号による変調波の周波数を判断して制御信号を復調する。特に、本実施形態では、変調波の振幅復調を行った後、周波数偏移復調している。
【００３８】
制御信号送信部２５６は、当該制御信号分岐装置２１０の配下にある光制御装置２２０の識別子とそのＩＰアドレスとが対応付けられたテーブルを有している。
【００３９】
図６は、制御信号とテーブルとの関係を示した説明図である。遠方監視制御装置１５４Ｂで受信された時点の制御信号には図６（ａ）のように周波数が示され、遠方監視制御装置１５４Ｂはその周波数によって制御信号を変調する。当該制御信号分岐装置２１０の復調部２５４で復調された制御信号には図６（ｂ）に示すように識別子と制御指令が示され、制御信号送信部２５６は、図６（ｃ）に示したテーブルを参照し、識別子が該当するテーブルに存在するかどうかを判断し、存在していれば、対応するＩＰアドレスによって特定される光制御装置２２０に、ＴＣＰ／ＩＰ（Transmission Control Protocol / Internet Protocol）に従って制御信号を送信する。ここで、制御信号は、光信号における既存の様々な重畳方法を用いて送信することができる。
【００４０】
かかる構成により、制御信号中の識別子を抽出して、既存の高圧配電線搬送方式による設備制御装置１６０と、光通信方式による光制御装置２２０とのいずれか適切な送付先を選択することが可能となるので、設備制御装置１６０と光制御装置２２０とが混在する移行期においてもそれぞれの制御手段に確実に制御指令を伝達することができる。
【００４１】
また、制御信号送信部２５６は、光制御装置２２０からの信号をその光制御装置２２０に対応した周波数で変調するため、光制御装置２２０の識別子とその変調に用いられる搬送波の周波数とを関連付けて記憶している。
【００４２】
メディアコンバータ２５８は、制御信号送信部２５６による電気信号と光ケーブル１７２とのメディア変換を行う。
【００４３】
変調部２６０は、光制御装置２２０からの信号を変調し、遠方監視制御装置１５４Ｂで処理可能な制御信号を生成、搬送結合装置１５６からの帰線に重畳する。本実施形態においては、半２重通信方式を採用しているため制御信号が衝突することはないが、全２重通信方式や時分割通信方式を採用する場合、搬送結合装置１５６と光制御装置２２０との合流地点において信号合成を行なってもよい。
【００４４】
上述した制御信号分岐装置２１０により、伝送容量の大きい光通信方式を用いて中央制御装置からの制御信号を光制御装置２２０に直接伝送するシステムを構築し、光制御装置２２０に配電設備の制御機能と計測機能を集約することで、配電設備の迅速かつ確実な制御が可能となる。本願発明者は、模擬フィールド試験を実施し、高圧配電線搬送方式と光通信方式が混在した配電系統において各配電設備が正常に制御されることを確認した。
【００４５】
（配電系統３００）
図７は、将来における配電系統３００の概略的な構成を示す説明図である。当該配電系統３００では、設備制御装置１６０が完全に撤去され、配電設備の制御および計測は、全て光制御装置２２０で賄っている。また、設備制御装置１６０の撤去に伴い、設備制御装置１６０への制御信号の伝送経路も不要となる。このように制御手段を光制御装置２２０に一本化することで、単純なシステム系統によるさらなる迅速かつ確実な配電設備の制御が可能となる。
【００４６】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４７】
本発明は、中央制御装置からの制御信号を、配電線路や光ケーブルを介して設備制御装置または光制御装置に伝送する配電自動化システムおよび制御信号分岐装置に適用可能である。
【図面の簡単な説明】
【００４８】
【図１】現在の配電系統の概略的な構成を示す説明図である。
【図２】開閉器、設備制御装置、および光制御装置の接続関係を説明するための説明図である。
【図３】本実施形態の配電系統の概略的な構成を示す説明図である。
【図４】本実施形態における開閉器および光制御装置の接続関係を説明するための説明図である。
【図５】制御信号分岐装置の具体的な構成を示した機能ブロック図である。
【図６】制御信号とテーブルとの関係を示した説明図である。
【図７】将来における配電系統の概略的な構成を示す説明図である。
【符号の説明】
【００４９】
１１０  …配電用変電所
１２０  …高圧配電線
１３０  …開閉器
１５０  …中央制御装置
１５４Ａ、１５４Ｂ  …遠方監視制御装置
１５６  …搬送結合装置
１６０  …設備制御装置
１７０  …光制御装置
１８０  …集計装置
２１０  …制御信号分岐装置
２２０  …光制御装置
２５０  …Ｏ／Ｅ変換器
２５２  …Ｅ／Ｏ変換器
２５４  …復調部
２５６  …制御信号送信部
２５８  …メディアコンバータ
２６０  …変調部
【図１】
2009232539.tif 000003
【図２】
2009232539.tif 000004
【図３】
2009232539.tif 000005
【図４】
2009232539.tif 000006
【図５】
2009232539.tif 000007
【図６】
2009232539.tif 000008
【図７】
2009232539.tif 000009